【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
オーディオスイッチに接続された１つ又は２つ以上のオーディオ入力モジュールであって、該オーディオ入力モジュールの各々が、１つ又は２つ以上のオーディオ信号ソースのための接続を有しており、及び該オーディオ入力モジュールの各々が、様々な形式のオーディオ信号を所定のオーディオ信号形式へ変換するよう構成されている、１つ又は２つ以上のオーディオ入力モジュールと、
ビデオスイッチに接続された１つ又は２つ以上のビデオ入力モジュールであって、該ビデオ入力モジュールの各々が、１つ又は２つ以上のビデオ信号ソースのための接続を有しており、及び該オーディオビデオモジュールの各々が、様々な形式のビデオ信号を所定のビデオ信号形式へ変換するよう構成されている、１つ又は２つ以上のビデオ入力モジュールと、
前記オーディオスイッチに接続された１つ又は２つ以上のオーディオ出力モジュールであって、該オーディオ出力モジュールの各々が、１つ又は２つ以上のオーディオ出力装置のための接続を有しており、及び前記所定のオーディオ信号形式を、選択されたオーディオ出力装置と互換性のある形式へと変換するよう構成されている、１つ又は２つ以上のオーディオ出力モジュールと、
前記ビデオスイッチに接続された１つ又は２つ以上のビデオ出力モジュールであって、該ビデオ出力モジュールの各々が、１つ又は２つ以上のビデオ出力装置のための接続を有しており、及び該オーディオビデオモジュールの各々が、前記所定のビデオ信号形式を、選択されたビデオ出力装置と互換性のある形式へと変換するよう構成されている、１つ又は２つ以上のビデオ出力モジュールと、
前記オーディオスイッチ及び前記ビデオスイッチと通信可能な関係で接続された汎用コンピュータであって、該汎用コンピュータにより実行される１つ又は２つ以上のアプリケーションプログラムによって、前記オーディオ信号ソースが選択されたオーディオ出力装置へと切り換えられ、及び前記ビデオ信号ソースが選択されたビデオ出力装置へと切り換えられるように、前記スイッチを制御する、汎用コンピュータと
を備えている、マルチメディアコントローラ。
【請求項２】
前記汎用コンピュータが、物理的な変更なしで用いられたスモールフォームファクタの汎用コンピュータである、請求項１に記載のマルチメディアコントローラ。
【請求項３】
前記汎用コンピュータが、該汎用コンピュータの一面に配置された複数の接続ポートを介して該マルチメディアコントローラの接続プレーンに接続される、請求項２に記載のマルチメディアコントローラ。
【請求項４】
前記所定のオーディオ信号形式がS/PDIF（Sony/Philips Digital Interconnect Format）又はI2S（Inter-IC Sound）形式である、請求項１に記載のマルチメディアコントローラ。
【請求項５】
前記オーディオ入力モジュールのうちの１つに接続された非同期サンプルレートコンバータであって、非標準的なデータ転送レートのオーディオ信号にブランクフレームを挿入してかかるオーディオ信号を標準的なデータ転送レートへ変換するよう構成されている、非同期サンプルレートコンバータを更に備えている、請求項１に記載のマルチメディアコントローラ。
【請求項６】
前記所定のビデオ信号形式がSDI（シリアルディジタルインタフェイス）形式またはパラレルディジタルビデオ形式である、請求項１に記載のマルチメディアコントローラ。
【請求項７】
前記汎用コンピュータが、ビデオ信号を圧縮し、及び該圧縮されたビデオを１つ又は２つ以上のEthernetネットワークインタフェイスを介して出力する、請求項１に記載のマルチメディアコントローラ。
【請求項８】
電話網と通信するよう構成されている電話インタフェイスを更に備えている、請求項１に記載のマルチメディアコントローラ。
【請求項９】
前記電話インタフェイスがFXO（Foreign eXchange Office）回路およびFXS（Foreign eXchange Subscriber）回路の少なくとも一方からなる、請求項８に記載のマルチメディアコントローラ。
【請求項１０】
前記電話インタフェイスがPOTS（Plain Old Telephone Service）と接続するよう構成されている、請求項１０に記載のマルチメディアコントローラ。
【請求項１１】
前記オーディオスイッチ及び前記ビデオスイッチに接続され、及び複数の装置への複数のインタフェイスを管理するよう構成されている、マイクロコントローラを更に備えている、請求項１に記載のマルチメディアコントローラ。
【請求項１２】
前記複数の装置への前記複数のインタフェイスのうちの少なくとも１つが、電話インタフェイス、メモリカードインタフェイス、無線（RF）インタフェイス、赤外線（IR）インタフェイス、及びRS232インタフェイスからなるグループから選択される、請求項１１に記載のマルチメディアコントローラ。
【請求項１３】
前記汎用コンピュータが、オーディオ信号を生成するよう構成され、前記オーディオスイッチが、該生成されたオーディオ信号を選択されたオーディオ出力装置へ切り換えるよう構成される、請求項１１に記載のマルチメディアコントローラ。
【請求項１４】
状態及び設定情報をユーザに対して表示するよう構成されたフロントパネルディスプレイを更に備えている、請求項１に記載のマルチメディアコントローラ。
【請求項１５】
前記フロントパネルディスプレイが、前記ビデオ入力モジュールのうちの１つに取り付けられたビデオソースを出所とするビデオデータを表示するよう構成されたディスプレイスクリーンである、請求項１４に記載のマルチメディアコントローラ。
【請求項１６】
前記フロントパネルディスプレイが、前記汎用コンピュータを出所とするビデオデータを表示するよう構成されたディスプレイスクリーンである、請求項１４に記載のマルチメディアコントローラ。
【請求項１７】
前記オーディオスイッチ及び前記ビデオスイッチと通信可能な関係で接続された第２の汎用コンピュータであって、前記汎用コンピュータが故障した場合に前記オーディオスイッチ及び前記ビデオスイッチの冗長制御を提供するよう構成されている、第２の汎用コンピュータを更に備えている、請求項１に記載のマルチメディアコントローラ。
【請求項１８】
照明及びホームオートメーション装置と通信し、及び該装置を制御するよう構成された、装置制御インタフェイスを更に備えている、請求項１に記載のマルチメディアコントローラ。
【請求項１９】
モータ及びリレー作動式装置と通信し、及び該装置を制御するよう構成された、装置制御インタフェイスを更に備えている、請求項１に記載のマルチメディアコントローラ。
【請求項２０】
前記モータ及びリレー作動式装置が、暖房・換気・空調（HVAC）システム、灌漑システム、自動ブラインドシステム、及び電子ドアロックからなるグループから選択された少なくとも１つの装置を含む、請求項１９に記載のマルチメディアコントローラ。
【請求項２１】
１つ又は２つ以上のオーディオ信号ソース、１つ又は２つ以上のビデオ信号ソース、１つ又は２つ以上のオーディオ出力装置、及び１つ又は２つ以上のビデオ出力装置からなるグループのうちの１つ又は２つ以上の要素と通信し、及び該要素を制御するよう構成された、インタフェイスを更に備えている、請求項１に記載のマルチメディアコントローラ。
【請求項２２】
オーディオ信号及びビデオ信号を格納するよう構成された１つ又は２つ以上の記憶装置を更に備えており、前記汎用コンピュータが、ディジタルビデオレコーダ（DVR）として動作するよう構成されている、請求項１に記載のマルチメディアコントローラ。
【請求項２３】
マルチメディアコントローラを動作させるための方法であって、
１つ又は２つ以上のオーディオ信号ソースから様々な形式の１つ又は２つ以上のオーディオ信号を受信し、
該オーディオ信号を所定のオーディオ信号形式へ変換し、
１つ又は２つ以上のビデオ信号ソースから様々な形式の１つ又は２つ以上のビデオ信号を受信し、
該ビデオ信号を所定のビデオ信号形式へ変換し、
前記マルチメディアコントローラの汎用コンピュータ上で実行されている１つ又は２つ以上のアプリケーションプログラムに応じて、前記オーディオ信号を選択されたオーディオ出力装置へ切り換え、及び前記ビデオ信号を選択されたビデオ出力装置へ切り換え、
前記所定のオーディオ信号形式の前記オーディオ信号を前記選択されたオーディオ出力装置と互換性のある形式へ変換し、
前記所定のビデオ信号形式の前記ビデオ信号を前記選択されたビデオ出力装置と互換性のある形式へ変換する、
という各ステップを含む、マルチメディアコントローラを動作させるための方法。
【請求項２４】
前記汎用コンピュータが、物理的な変更なしで用いられたスモールフォームファクタの汎用コンピュータである、請求項２３に記載の方法。
【請求項２５】
前記汎用コンピュータの一面に配置された複数の接続ポートを介して前記マルチメディアコントローラの接続プレーンに該汎用コンピュータを接続するステップを更に含む、請求項２４に記載の方法。
【請求項２６】
前記オーディオ信号を所定のオーディオ信号形式に変換する前記ステップが、
非標準的なデータ転送レートのオーディオ信号にブランクフレームを挿入して、かかるオーディオ信号を標準的なデータ転送レートへ変換する、
というステップを更に含む、請求項２３に記載の方法。
【請求項２７】
前記マルチメディアコントローラを電話インタフェイスを用いて電話網へ接続するステップを更に含む、請求項２３に記載の方法。
【請求項２８】
前記汎用コンピュータによりオーディオ信号を生成し、該生成されたオーディオ信号を選択されたオーディオ出力装置へ切り換える、
という各ステップを更に含む、請求項２３に記載の方法。
【請求項２９】
暖房・換気・空調（HVAC）システム、灌漑システム、自動ブラインドシステム、及び電子ドアロックからなるグループから選択された少なくとも１つの装置と通信し、及び該装置を制御するステップを更に含む、請求項２３に記載の方法。
【請求項３０】
１つ又は２つ以上のオーディオ信号ソース、１つ又は２つ以上のビデオ信号ソース、１つ又は２つ以上のオーディオ出力装置、及び１つ又は２つ以上のビデオ出力装置からなるグループのうちの１つ又は２つ以上の要素と通信し、及び該要素を制御するステップを更に含む、請求項２３に記載の方法。
【請求項３１】
１つ又は２つ以上のオーディオ信号ソースから様々な形式の１つ又は２つ以上のオーディオ信号を受信するための手段と、
該オーディオ信号を所定のオーディオ信号形式へ変換するための手段と、
１つ又は２つ以上のビデオ信号ソースから様々な形式の１つ又は２つ以上のビデオ信号を受信するための手段と、
該ビデオ信号を所定のビデオ信号形式へ変換するための手段と、
該マルチメディアコントローラの汎用コンピュータ上で実行されている１つ又は２つ以上のアプリケーションプログラムに応じて前記オーディオ信号を選択されたオーディオ出力装置へ切り換えるための手段及び前記ビデオ信号を選択されたビデオ出力装置へ切り換えるための手段と、
前記所定のオーディオ信号形式の前記オーディオ信号を前記選択されたオーディオ出力装置と互換性のある形式へ変換するための手段と、
前記所定のビデオ信号形式の前記ビデオ信号を前記選択されたビデオ出力装置と互換性のある形式へ変換するための手段と
を備えている、マルチメディアコントローラ。